(57)【特許請求の範囲】
【請求項１】
一対のブラケットと、両ブラケットを連結するロッド部材と、各ブラケット内に収納配置したゴムブッシュとを具え、少なくとも一方のゴムブッシュを、筒部材の周りに固着させた弾性部材から突出させて設けた弾性脚部の先端が、ブラケットの中央部から遠去かる向きもしくは、中央部に近づく向きの窪み内に圧入固定されるものとしてなるトルクロッドであって、
少なくとも一方のゴムブッシュの、筒部材の周りの弾性部材に、ブラケットの内周面に当接可能な一個以上の突起部を設けるとともに、該ゴムブッシュの弾性部材に、筒部材側からＶ字状に突出する一対の弾性脚部を設け、それぞれの弾性脚部の各肥大先端部を、少なくとも、反対側の弾性脚部の方向から圧縮変形させるとともに、筒部材側に向けて圧縮変形させた状態で各窪み内に圧入し、
各窪みを、相互に対向する、少なくとも二対の平行面を有するものとしてなる、トルクロッド。
【請求項２】
二対の平行面のそれぞれを、相互に直交する方向に延在させてなる請求項１に記載のトルクロッド。
【請求項３】
一対の弾性脚部を、ロッド部材の中心線に対して対称に設けてなる請求項１又は２に記載のトルクロッド。
【請求項４】
一対の弾性脚部および複数個の突起部の突出形態を「大」字状としてなる請求項１〜３のいずれかに記載のトルクロッド。
【請求項５】
それぞれの弾性脚部の各肥大先端部の、反対側の弾性脚部の方向からの圧縮率を１５〜２５％の範囲とし、筒部材側に向く方向の圧縮率を１０〜２０％の範囲としてなる請求項１〜４のいずれかに記載のトルクロッド。
【請求項６】
それぞれの弾性脚部の各圧入先端部が、ブラケットに掛合する一以上の位置決め部を有してなる請求項１〜５のいずれかに記載のトルクロッド。
【発明の詳細な説明】
【技術分野】
【０００１】
この発明は、一対のブラケットと、両ブラケットを連結するロッドと、各ブラケット内に収納配置したゴムブッシュとを具えてなるトルクロッドに関し、とくには、従来の一般的なゴムブッシュから外筒を取り除くことで、トルクロッドの軽量化および低廉化を実現するとともに、ゴムブッシュの筒部材の周りに固着させた弾性部材にＶ字状に突出させて設けた一対の弾性脚部の、ブラケットからの意図しない抜け出しのおそれを十分に取り除いたトルクロッドに関するものである。
【背景技術】
【０００２】
外筒を省略した、従来のブッシュタイプの防振装置としては、特許文献１に記載されたものがある。
これは、支持体もしくは被支持体のいずれか一方側に連結される筒部材と、この筒部材の外周側に配置され、支持体もしくは被支持体の他方側に連結されるブラケットと、筒部材に接合されるとともに、ブラケットに向けてＶ字状に延びる、ゴム弾性体からなる一対の弾性脚とを具え、各弾性脚の先端部を、ブラケットに形成した圧入凹部内へ、弾性脚の延在方向に対して圧縮変形させて圧入してなるものである。
【０００３】
従来のこの装置では、ゴム弾性体からなる一対の弾性脚のそれぞれを、外筒の適用なしに、ブラケットの圧入凹部内へ直接的に圧入していることから、装置の軽量化および低廉化を有効に実現することができる。
【先行技術文献】
【特許文献】
【０００４】
【特許文献１】特開２００３−７４６３０号公報
【発明の概要】
【発明が解決しようとする課題】
【０００５】
しかるに、この従来装置では、弾性脚に、それの延在方向に対する圧縮変形だけを行わせて、各弾性脚をブラケットの圧入凹部に圧入固定させていることから、弾性脚の、圧入凹部による保持力不足が否めず、弾性脚の、意図しない抜け出しの防止のためには、圧縮率を高く設定することが必要になるが、このことによれば、弾性脚の、圧入凹部への圧入性が低下するという問題があった。
【０００６】
この発明は、従来技術が抱えるこのような問題点を解決することを課題とするものであり、それの目的とするところは、外筒の省略に基く、トルクロッドの軽量化および低廉化を実現してなお、弾性脚部の、ブラケットの窪みへの圧入性を損ねることなく、いいかえれば、脚部の圧縮率をそれほど高く設定することなしに、また、弾性脚部の先端部に、高硬度ゴム等を埋設一体化させることもなしに、弾性脚部の不測の抜け出しを十分に防止できるトルクロッドを提供するにある。
【課題を解決するための手段】
【０００７】
この発明のトルクロッドは、一対のブラケットと、両ブラケットを連結するロッド部材と、各ブラケット内に配置した、たとえば大小二種類のゴムブッシュとを具え、少なくとも一方、たとえば大型のゴムブッシュを、金属、合成樹脂等の高剛性の筒部材の周りに固着させた弾性部材から突出させて設けた弾性脚部の先端が、ブラケットの中央部から遠去かる向きもしくは近づく向きの窪み内に圧入固定されるものとしてなるものであって、少なくとも一方のそのゴムブッシュの、筒部材の周りの弾性部材に、ブラケットの内周面に当接可能な、ストッパとして機能できる一個以上の突起部を設けるとともに、該ゴムブッシュの弾性部材に、筒部材側からＶ字状に突出する一対の弾性脚部を設け、そして、それぞれの弾性脚部の、肥大化させた各先端部を、少なくとも、反対側の弾性脚部の方向から圧縮変形させるとともに、筒部材側に向けて圧縮変形させた状態で、いいかえれば、ロッド部材の中心線（Ｙ軸）が、筒部材の中心を通るものとした場合、その中心線（Ｙ軸）と、筒部材の中心でその中心線（Ｙ軸）に直交する直線（Ｘ軸）とからなる直交座標系において、それぞれの弾性脚部の各肥大先端部をＸ軸方向およびＹ軸方向の両方向に圧縮変形させた状態で、たとえば、ほぼ「Ｃ」字状ないしは、ほぼ「コ」字状の形態を有する各窪み内に圧入してなるものである。
【０００８】
さらに本発明のトルクロッドは、各窪みを、相互に対向して位置する、少なくとも二対の平行面を有するものとする。好ましくは、二対の平行面のそれぞれが、相互に直交する方向に延在するものとする。
【０００９】
ところで、一対の弾性脚部は、ロッド部材の中心線に対して対称に設けることが好ましく、また好ましくは、一対の弾性脚部および複数個の突起部の突出形態を「大」字状とする。
【００１０】
そしてまた好ましくは、それぞれの弾性脚部の各肥大先端部の、反対側の弾性脚部の方向からの圧縮率を１５〜２５％の範囲、たとえば２０％とし、コア部材側に向く方向の圧縮率を１０〜２０°の範囲、たとえば１５％とする。
【００１１】
以上に述べたところにおいて、それぞれの弾性脚部の各圧入先端部には、ブラケットに掛合する、凹部、凸部等からなる一以上の位置決め部を設けることが好ましい。
【発明の効果】
【００１２】
この発明のトルクロッドでは、一以上のゴムブッシュにおいて、とくに、弾性部材の一対の弾性脚部の各肥大先端部を、少なくとも、反対側の弾性脚部の方向から、すなわち、前記Ｘ軸方向に圧縮変形させることに加え、コア部材側に向けても、すなわち、前記Ｙ軸方向にも圧縮変形させた状態で、ブラケットに設けた各窪み内に圧入して、弾性脚部先端部の圧入時の圧縮変形方向を二方向以上とすることで、外筒の適用を不要にできることはもちろん、各圧縮変形方向の圧縮率をそれほど高めることなくトータルの変形量を十分大きくして、脚部先端部の窪み内への圧入性を損うことなしに、また、高硬度ゴム等の埋設その他に要する工数等の増加なしに、弾性脚部の先端部の、ブラケットの窪みからの不測の抜け出しを、効果的に防止することができる。
【００１３】
また、本発明のトルクロッドでは、ブラケットの各窪みを、相互に対向して位置する、少なくとも二対の平行面を有するものとしたので、弾性脚部の肥大先端部の初期形状等との関連の下で、上記の各方向の圧縮変形の、所要の圧縮率を簡易に実現することができ、このことは、二対の平行面のそれぞれを相互に直交する方向に延在させた場合に一層効果的である。
【００１４】
なお、一対の弾性脚部のそれぞれを、ロッド部材の中心線に対して対称に設けたときは、それぞれの弾性脚部を入力荷重の支持に十分均等に寄与させることができ、それぞれの弾性脚部相互の荷重支持能力を長期間にわたって一定に維持することができる。
【００１５】
また、一対の弾性脚部および複数個の突起部の突出形態を「大」字状とした場合は、弾性脚部を除くそれぞれの突起部を、各方向の入力に対し、ストッパとして十分適正に機能させることができる。
すなわち、左右への突起部を前後方向ストッパとして、そして、上方への突起部をリバウンドストッパとしてそれぞれ機能させることができる。
しかもここでは、一対の弾性脚部の付根部分を、ブラケットの貫通穴部の輪郭形状との関連の下で、リバウンドストッパとして機能させることもできる。
【００１６】
以上に述べたところにおいて、それぞれの弾性脚部の各先端部の、反対側の弾性脚部の方向からの圧縮率を１５〜２５％の範囲、たとえば２０％とし、また、コア部材側に向く方向の圧縮率を１０〜２０％の範囲、たとえば１５％とした場合は、各方向の圧縮率を小さく抑えてなお、弾性脚部先端部の保持力を十分に確保して、その先端部の、ブラケットからの不測の抜け出しを有効に防止することができる。
すなわち、圧縮率が上記の範囲を越えると、弾性脚部の圧入が困難になる他、弾性脚部に切れ等の損傷が発生し易くなり、上記の範囲未満では、抜け出し抗力が低くなりすぎるおそれが生じる。
ところで、それぞれの方向での圧縮率を変化させているのは、数値範囲の大きい一方を、主たる、抜け出し抗力の発生方向とするためであり、双方ともに数値範囲を大きくすると、脚部の圧入性が悪くなるためである。
【００１７】
そしてさらに、それぞれの弾性脚部の各圧入先端部に、ブラケットに掛合する一以上の凹部、凸部等からなる位置決め部を設けた場合は、弾性脚部の、ブラケットからの意図しない抜け出しを一層効果的に防止することができる。
なおここで、凹部は条溝等とすることができ、凸部は突条の他、ブラケットの窪み縁に掛合するフランジ等とすることができる。
【図面の簡単な説明】
【００１８】
【図１】この発明の実施形態を示す斜視図である。
【図２】図１の要部拡大正面図である。
【図３】図２に示す要部の組立て工程を示す分解斜視図である。
【図４】弾性脚部の変更例を組立て工程を示す分解斜視図である。
【発明を実施するための形態】
【００１９】
この発明のトルクロッドを斜視図で示す図１において、１，２はそれぞれ、対をなすブラケットを示し、３は、両ブラケット１，２を連結するロッド部材を示す。
また、図示のトルクロッドは、大小二種類のブラケット１，２内にそれぞれのゴムブッシュ４，５を収納配置してなる。
【００２０】
そしてここでは、少なくとも一方のゴムブッシュ、図では大型のゴムブッシュ４を、図２に要部を拡大して示すところから明らかなように、筒部材６の周りに、加硫接着、接着剤接着等によって弾性部材７を固着させて設け、この弾性部材７に、筒部材６側から、ロッド部材３側に向けてＶ字状に突出する一対の弾性脚部８ａ，８ｂを形成し、これらの弾性脚部８ａ，８ｂを、肥大化させた各先端部９ａ，９ｂの、ブラケット１に形成した、ブラケット中心から遠去かる向きに窪む各窪み１０ａ，１０ｂ内への圧入によってブラケット１に固定する。
【００２１】
また図に示すところでは、弾性部材７は、筒部材６の周りに形成されて、ブラケットの内周面に当接可能な一個以上、図では三個の突起部１１ａ，１１ｂを有する。
ここで突起部１１ａは、筒部材６の中心Ｏに対し、弾性脚部８ａ，８ｂが突出する図の下方側とは反対側である下方側へ突出させて設けたリバウンドストッパを示し、また、突起部１１ｂは、筒部材６の中心Ｏに対し、それぞれの弾性脚部８ａ，８ｂが突出する図の左右側方へ突出させて設けた一対の前後ストッパを示す。
【００２２】
ここで、ほぼ「Ｃ」字状、ないしはほぼ「コ」字状をなす各窪み１０ａ，１０ｂ内への、一対の弾性脚部８ａ，８ｂの各肥大先端部９ａ，９ｂの圧入固定は、少なくとも、各先端部９ａ，９ｂを、反対側の弾性脚部８ａ，８ｂの方向から圧縮変形させるとともに、筒部材６側に向けて圧縮変形させた二方向圧縮変形状態で各窪み１０ａ，１０ｂへ圧入することにより行う。
ここでのこの二方向圧縮変形は、実際には、上述した二方向の反対の側からもまた圧縮力を受けることによって行われることになる。
またここで、各先端部９ａ，９ｂの圧縮変形方向は、三方向以上の複数方向とすることもできる。
【００２３】
なお、上述の場合の二方向圧縮変形は、たとえば、筒部材６の中心Ｏを通るロッド部材３の中心線をＹ軸とし、その中心ＯでＹ軸に直交する直線をＸ軸とする直交座標系で、各肥大先端部９ａ，９ｂを、Ｙ軸方向およびＸ軸方向の両方向に圧縮変形させた状態とすることができる。
【００２４】
ここにおいて、ブラケット１の各窪み１０ａ，１０ｂは、図２に示すように、相互に対応して位置する二対の平行面を有するものとすることが好ましく、これによれば、各肥大先端部９ａ，９ｂの、各窪み１０ａ，１０ｂ内への圧入に伴う、上述したような二方向圧縮変形の実現を簡易なものとすることができる。
そしてこのことは、二対の平行面のそれぞれを、これも図示のように、相互に直交する方向に延在させた場合に一層効果的である。
【００２５】
なおここで、ゴムブッシュ４の、ブラケット１の中空部１ａ内への図３に示すような押し込みに当り、弾性脚部８ａ，８ｂの肥大先端部９ａ，９ｂの、窪み１０ａ，１０ｂ内への圧入にそれほどの困難を伴わない場合は、各窪み１０ａ，１０ｂに、先端部９ａ，９の圧縮変形に寄与する三対以上の平行面を設けることもでき、また、各窪み１０ａ，１０ｂの一以上の隅部で、先端部９ａ，９ｂに圧縮変形を行わせることもできる。
【００２６】
また好ましくは、一対の弾性脚部８ａ，８ｂのそれぞれを、ロッド部材３の中心線（Ｙ軸）に対して対称に設けて、その中心線方向の力、中心線と直交する方向の力等の、それぞれの弾性脚部８ａ，８ｂへの入力をほぼ均等なものとすることで、それらの弾性脚部８ａ，８ｂの耐久性の向上をもたらす。
【００２７】
ところで、一対の弾性脚部８ａ，８ｂおよび前述した三個の突起部１１ａ，１１ｂのそれぞれの突出形態を、図示のような「大」字状としたときは、先にも述べたように、左右への突起部を前後方向ストッパとして、そして、上方への突起部をリバウンドストッパとしてそれぞれ機能させることができる。
しかも図に示すところでは、一対の弾性脚部の付根部分を、ブラケットの貫通穴部の輪郭形状との関連の下で、リバウンドストッパとして機能させることもできる。
【００２８】
このような装置において、それぞれの弾性脚部８ａ，８ｂの各先端部９ａ，９ｂの、反対側の弾性脚部８ａ，８ｂの方向からのＸ軸方向の圧縮率を１５〜２５％の範囲とし、また、コア部材側に向くＹ軸方向の圧縮率を１０〜２０％の範囲としたときは、弾性脚部に損傷等を生じさせることなく、すぐれた圧入性を担保することができる。
【００２９】
以上に述べたような大型ゴムブッシュ４は、図３に示すようにして、ブラケット１の側方から、筒部材６の周りに固着させた弾性部材７を、ブラケット１の中空部１ａ内へ押し込み、この押し込みに当って、弾性部材７の、筒部材６側からＶ字状に突出する一対の弾性脚部８ａ，８ｂの各肥大先端部９ａ，９ｂを、ブラケット１の各窪み１０ａ，１０ｂ内へ、上述したような圧縮変形を生じさせながら圧入することによってブラケット１に組付けることができる。
【００３０】
ところで、図中の小型のゴムブッシュ５は、内筒５ａと外筒５ｂとを弾性部材５ｃで連結することによって構成してなり、このゴムブッシュ５を、ブラケット２の内周側に圧入することで組付けることとしているも、大型のゴムブッシュ４に加えて、もしくは代えて、この小型のゴムブッシュ５を、上述した大型のゴムブッシュ４と同様の構成を有するものとすることもできる。
【００３１】
そして、このようにして組付けられるゴムブッシュ４において、弾性部材７の、ブラケット１からの意図しない抜け出しをより有効に防止するためには、弾性部材７とブラケット１とに何らかの掛合手段を設けることが好ましい。
図４は、その一例をゴムブッシュの底面斜視図で示す弾性脚部の変更例であり、これは、弾性脚部８ａ，８ｂの各肥大先端部９ａ，９ｂに、各窪み１０ａ，１０ｂに設けた突条に嵌まり合う各条溝１２ａ，１２ｂと、窪み１０ａ，１０ｂの縁に掛合して、各窪み１０ａ，１０ｂを挟み込むフランジ１３ａ，１３ｂを設けたものである。
【００３２】
なおここで、肥大先端部９ａ，９ｂには、条溝１２ａ，１２ｂとフランジ１３ａ，１３ｂとのいずれか一方だけを設けることも可能であり、また、先端９ａ，９ｂに、各溝１２ａ，１２ｂに代えて、もしくは加えて、窪み１０ａ，１０ｂに設けた条溝に嵌まり込む一本もしくは複数本の突条を設けることも可能である。
【符号の説明】
【００３３】
１，２  ブラケット
１ａ  中空部
３  ロッド部材
４，５  ゴムブッシュ
６  筒部材
７  弾性部材
８ａ，８ｂ  弾性脚部
９ａ，９ｂ  肥大先端部
１０ａ，１０ｂ  窪み
１１ａ，１１ｂ  突起部
１２ａ，１２ｂ  条溝
１３ａ，１３ｂ  フランジ
Ｏ  中心
【図１】
0005420382.tif 000002
【図２】
0005420382.tif 000003
【図３】
0005420382.tif 000004
【図４】
0005420382.tif 000005